(57)【要約】【課題】床吹き出し部から吹き出る空気の温度を個別に調整し、室内空調の快適性を向上させる。【解決手段】室内全体が予め設定された温度になるように室内８へ供給される調整空気１４の温度を調整する事前空気調整部２と、前記調整空気１４の一部と室内８から取り入れる還気１５とを混合させて前記室内８における所定領域の温度を個別に調整するための混合空気１６を形成し、該混合空気１６の温度を調整する混合調整部４００と、前記混合調整部４００で個別に温度が調整された前記混合空気１６と、前記事前空気調整部２で温度が調整された前記調整空気１４とのうち少なくともいずれか一方を床から前記所定領域へ供給する床吹き出し部３００と、を備えた。【選択図】図１
2009156510.tif 000002
【特許請求の範囲】
【請求項１】
室内全体が予め設定された温度になるように室内へ供給される調整空気の温度を調整する事前空気調整部と、
前記調整空気の一部と室内から取り入れる還気とを混合させて前記室内における所定領域の温度を個別に調整するための混合空気を形成し、該混合空気の温度を調整する混合調整部と、
前記混合調整部で個別に温度が調整された前記混合空気と、前記事前空気調整部で温度が調整された前記調整空気とのうち少なくともいずれか一方を床から前記所定領域へ供給する床吹き出し部と、
を備える個別空気調整装置。
【請求項２】
前記混合調整部は、前記調整空気と前記還気とを混合させる割合を調整し、前記混合空気の温度を調整する請求項１に記載の個別空気調整装置。
【請求項３】
前記混合調整部による前記調整空気と前記還気とを混合させる割合の調整は、前記所定領域へ供給する前記混合空気の温度が、前記調整空気の温度と該調整空気の風量の積と前記還気の温度と該還気の風量の積との和を、該調整空気の風量と該還気の風量との和で除したものと等しくなるように該調整空気の風量と該還気の風量を決定することで行う請求項２に記載の個別空気調整装置。
【請求項４】
前記調整空気と、前記還気と、前記混合空気との各々の温度を検知する温度検知部と、
前記混合空気の設定温度を受け付ける入力部と、を更に備え、
前記温度制御部は、冷房時に、前記調整空気よりも温度が高い前記還気と該調整空気とを混合させる請求項２に記載の個別空気調整装置。
【請求項５】
前記混合調整部は、前記調整空気と前記還気とを混合させる混合弁と、
前記調整空気が前記混合弁へ流れる第一通路と、
前記還気が前記混合弁へ流れる第二通路と、
前記混合空気が前記床吹き出し部へ流れる第三通路と、
前記混合弁の開度を調節することにより前記調整空気と前記還気とが前記第三通路へ流れる風量の割合を変え、前記混合空気の温度を制御する温度制御部と、
を有する請求項１から４の何れかに記載の個別空気調整装置。
【請求項６】
前記温度制御部は、前記調整空気と、前記還気と、前記混合空気との各々の温度を検知する温度検知部で検知された各々の温度に基づいて、前記混合弁の開度を制御する混合弁開度制御部を有する請求項５に記載の個別空気調整装置。
【請求項７】
前記混合調整部は、前記第二通路へ前記還気を取り入れる空気取入手段を有する、請求項５に記載の個別空気調整装置。
【発明の詳細な説明】
【技術分野】
【０００１】
本発明は、床下から吹き出す空気の温度を個別に調整する個別空気調整装置に関する。
【背景技術】
【０００２】
近年、ＩＴ化が進みＯＡ機器が増加したオフィスでは、発熱量が増え、室内の空調を強くせざるを得ない傾向にある。そのため、従来の天井吹き出し空調では、直接当たる空気が冷えすぎる、部屋の場所によって体感温度が変わる事や、風向きや風量のムラ等の問題があった。また、床吹き出し空調では、風が床下から居住域にダイレクトに作用するため、高めの冷房給気温度でも室内を快適な温度にし、風量を低く設定することが可能であることから、省エネルギーに寄与することも知られている（例えば、特許文献１、２を参照。）。
【０００３】
しかし、このような床吹き出し空調においては、冷房時には、足元に冷たい冷風が吹き出され、この冷風が床面付近に滞留することによって、足元が冷え過ぎとなる場合があり、特に女性にとっては辛い問題となっていた。そこで、冷風が吹き出す吹き出し位置の高さや風量を個別に調節することによって、冷房時に足下に冷たい冷風が吹き出されるのを防止し、足元の冷え過ぎを解消するシステムの開発がなされている（例えば、特許文献３を参照。）。またこれらの技術により、吹き出し口の位置の高さを調節し、着席時に顔面付近に冷風が吹出されるようにしてパーソナル的に使用し、あるいはＯＡ機器等の発熱体に対して直接冷風を吹付けて冷却用に使用したりすることができる等、使用に際しての自由度を大幅に拡大することができる技術が公開されている。
【特許文献１】特開２００５−２６５２８０号公報
【特許文献２】特許第２９２５８２３号
【特許文献３】特開平１０−３０８４２号公報
【発明の開示】
【発明が解決しようとする課題】
【０００４】
空気調整方式として、天井吹き出し空調と床吹き出し空調が知られているが、天井吹き出し空調は、吹き出し口が天井にあるためユーザと吹き出し口との間の距離が長く、室内の所定領域の温度を個別に調整することには適していない。一方、床吹き出し空調は、吹き出し口が床にあるためユーザと吹き出し口との間の距離が短く、風が床下からユーザにダイレクトに作用するため、室内の所定領域の温度を個別に調整することに適していると考えられる。しかし、従来の床吹き出し空調では、個別に吹き出し口の高さや風量を調節することはできたが、吹き出し口から出る空気の温度を調節することはできなかった。
【０００５】
そこで本発明では、床吹き出し空調において、上記問題に鑑み、床吹き出し口から吹き出る空気の温度を個別に調整し、室内空調の快適性を向上させることを目的とする。
【課題を解決するための手段】
【０００６】
上記課題を解決するために、本発明は、個別空気調整装置に、室内全体の温度を調整する事前空気調整部と、個別に室内の所定領域の温度を調整する混合調整部と、事前空気調整部または混合調整部で調整された空気を床から吹き出す床吹き出し部とを設けた。本発明は、事前空気調整部で温度が調整された空気と調整されていない空気とを混合調整部で混合させることにより、床吹き出し部から吹き出す空気の温度を個別に調整することが可能となる。
【０００７】
詳細には、本発明は、室内全体が予め設定された温度になるように室内へ供給される調
整空気の温度を調整する事前空気調整部と、前記調整空気の一部と室内から取り入れる還気とを混合させて前記室内における所定領域の温度を個別に調整するための混合空気を形成し、該混合空気の温度を調整する混合調整部と、前記混合調整部で個別に温度が調整された前記混合空気と、前記事前空気調整部で温度が調整された前記調整空気とのうち少なくともいずれか一方を床から前記所定領域へ供給する床吹き出し部と、を備える。
【０００８】
事前空気調整部は、室内と室外の少なくとも一方から空気を取り入れ、給気が予め設定された温度になるように、空気の温度を調整する。そして、事前空気調整部によって温度が調整された空気は、室内へ供給されることにより室内全体を予め設定された温度にする。混合調整部は、事前空気調整部によって調整された調整空気の一部と、空気の温度が調整されていない還気とを混合させ、室内における所定領域の温度を個別に調整するための混合空気を形成し、混合空気の温度を調整する。
【０００９】
床吹き出し部は、混合調整部で温度が調整された混合空気を床から所定領域へ供給し、また、混合調整部で温度が調整されていない調整空気をそのまま供給することができる。床吹き出し部が混合空気を吹き出すか調整空気を吹き出すかは、予め設定した温度で行ってもよく、またユーザが決定することができる。
【００１０】
次に、前記混合調整部は、前記調整空気と前記還気とを混合させる割合を調整し、前記混合空気の温度を調整してもよい。また、前記混合調整部による前記調整空気と前記還気とを混合させる割合の調整は、前記所定領域へ供給する前記混合空気の温度が、前記調整空気の温度と該調整空気の風量の積と前記還気の温度と該還気の風量の積との和を、該調整空気の風量と該還気の風量との和で除したものと等しくなるように該調整空気の風量と該還気の風量を決定することで行ってもよい。
【００１１】
ユーザが予め設定する所定領域へ供給する混合空気の温度と、調整空気と還気との温度と、調整空気と還気との風量の関係が予め設定され、規格化されている。調整空気と還気とを混合させる風量の割合は、所定領域へ供給する混合空気の温度と、調整空気の温度と、還気の温度により規格化された式により決定される。よって、本発明は、予め各々の温度と風量の関係が決められているため、製品化し易いという効果がある。
【００１２】
更に、前記調整空気と、前記還気と、前記混合空気との各々の温度を検知する温度検知部と、前記混合空気の設定温度を受け付ける入力部と、を更に備え、前記温度制御部は、冷房時に、前記調整空気よりも温度が高い前記還気と該調整空気とを混合させてもよい。
【００１３】
温度検知部は、事前空気調整部によって温度が調整された調整空気と、事前空気調整部によって空気の温度が調整されていない還気と、調整空気の一部と還気とを混合させた混合空気との温度を各々検知する。また、入力部は、床吹き出し部から室内の所定領域へ供給される混合空気の設定温度を受け付けることができる。よって、混合調整部が有する温度制御部は、温度検知部で検知された温度を基に混合弁の開度を調節し、入力部で受け付けられた混合空気の設定温度になるように、混合空気の温度を調節する。そして、混合調整部は、ユーザが設定した設定温度に調節された混合空気を室内の所定領域へ供給させることにより、所定領域を快適な温度に調整することができる。
【００１４】
前記混合調整部は、前記調整空気と前記還気とを混合させる混合弁と、前記調整空気が前記混合弁へ流れる第一通路と、前記還気が前記混合弁へ流れる第二通路と、前記混合空気が前記床吹き出し部へ流れる第三通路と、前記混合弁の開度を調節することにより前記調整空気と前記還気とが前記第三通路へ流れる風量の割合を変え、前記混合空気の温度を制御する温度制御部と、を有してもよい。また、前記温度制御部は、前記調整空気と、前記還気と、前記混合空気との各々の温度を検知する温度検知部で検知された各々の温度に
基づいて、前記混合弁の開度を制御する混合弁開度制御部を有してもよい。
【００１５】
混合弁は、事前空気調整部によって温度が調整された調整空気と、事前空気調整部によって温度が調整されていない還気とを混合させる。第一通路は、混合弁を介して第三通路と繋がっており、調整空気が第三通路へ流れ込む。第二通路は、混合弁を介して第三通路と繋がっており、還気が第三通路へ流れ込む。第三通路は、床吹き出し部と繋がっており、第一通路からの調整空気と第二通路からの還気とを混合させ、混合空気を形成する。
【００１６】
温度制御部は、第一通路からの調整空気と第二通路からの還気が流れる混合弁の開度を調節し、第三通路へ流れる各々の空気の風量の割合を変え、混合空気の温度を制御する。これにより、本発明は、床吹き出し部から室内の所定領域へ供給される混合空気の温度を調整することが可能となる。
【００１７】
混合弁開度制御部は、温度制御部内に有し、温度検知部で検知された調整空気と還気と混合空気との各々の温度に基づいて、混合弁の開度を制御する。室内の所定領域へ供給される調整空気または混合空気の温度は、混合弁の開度を調節することによって変更可能である。
【００１８】
また、前記混合調整部は、前記第二通路へ前記還気を取り入れる空気取入手段を有してもよい。空気取入手段は、第二通路へ室内から還気を取り入れ、還気を第三通路へ流す。よって、本発明は、空気取入手段を設けることにより混合弁の開度に応じて還気を自吸することができる。
【００１９】
調整空気と還気とを混合させて混合空気を形成する混合調整部は、還気として室内空気を用い、調整空気の一部と室内空気とを混合させ混合空気を形成してもよい。室内空気は、設定温度近くに維持され、外気と比べて温度の変動も少なく、混合空気を形成する際に室内の所定領域の温度の微調整が行い易い。
【発明の効果】
【００２０】
本発明によれば、床吹き出し空調において、床吹き出し部から供給される空気の温度を個別に調整し、室内空調の快適性を向上させることが可能となる。
【発明を実施するための最良の形態】
【００２１】
ここで、本発明に係る個別空気調整装置の実施例について、図面に基づいて説明する。以下に示す実施例は例示であり、本発明はこれらに限定されるものではない。
【実施例１】
【００２２】
図１は、本発明の実施例に係る個別空気調整装置１が設けられた部屋１９及びその周辺を示す断面図である。図２は、本発明の実施例に係る個別空気調整装置１において、混合空気１６が室内８へ供給された状態の混合調整部４００と床吹き出し部３００の拡大図である。尚、文中で言及する空気は、図中に符号をマルで囲んで表示した。
【００２３】
実施例１の概要について説明する。図１に示すように、二重天井１０には室内空気１５ａを吸い込む吸い込み部１２が室内８に設けられている。そして、吸い込まれた室内空気１５ａは、二重天井チャンバ（以下、二重天井という）１０をダクトとして室内８の外側（機械室）に設けられている事前空気調整部２の送風機２ｄにより吸引される。事前空気調整部２は、例えばエアハンドリングユニットから構成され、ここへ送られた室内空気１５ａは、給気温度が設定温度になるように事前空気調整部２によって温度が調整され、調整空気１４となる。そして、調整空気１４は送風機２ｄにより二重床９へ送風される。二重床９へ送風された調整空気１４は、混合調整部４００によって還気１５としての室内空
気１５ａと混合される。混合された混合空気１６は、床吹き出し部３００からファン３０１により室内８の所定領域へ吹き出される。所定領域とは、混合空気１６が吹き出される室内８中の特定の領域、つまりここでは在室者が執務等で集まる単位領域のことであり、例えば事務机の配置レイアウトで決まる領域のことである。温度を個別に調整しない領域は、混合空気１６が吹き出される所定領域以外の領域に、調整空気１４を床吹き出し部３００から室内８へ吹き出す。また、還気１５に室内空気１５ａを使用する理由は、室内空気１５ａは、設定温度近くに維持され、外気と比べて温度の変動も少なく、混合空気１６を形成する際に室内８の所定領域の温度の微調整が行い易いからである。
【００２４】
次に、実施例１の各構成について具体的に説明する。二重床９には床吹き出し部３００が、二重天井１０には吸い込み部１２が設けられている。また、床吹き出し部３００では二重床チャンバ（以下、二重床という）９と室内８とが繋がっており、吸い込み部１２は二重天井１０と室内８とが繋がっている。よって、室内８の空気は、室内８から二重天井１０へ、二重天井１０から室内８の外側を通って二重床９へ、二重床９から室内８へと循環している。
【００２５】
また、二重床９は、電気・情報配線用の敷設スペースとしても機能し、且つ空調用給気ダクトとして兼用される。よって、二重床９を使用する床吹き出し空調は、天井内に給気ダクトを設ける天井ダクト方式よりも工期の短縮や施工コストの削減を図ることができる。
【００２６】
室内８の外側には、事前空気調整部２が設けられており、事前空気調整部２の送風機２ｄでは二重天井１０の室内空気１５ａを事前空気調整部２へ送る力が足りない時に、更に送風機を設けてもよい。実施例１に係る事前空気調整部２は、吸い込み口２ａとフィルタ２ｂと熱交換器２ｃと送風機２ｄ、不図示の加湿器が設けられている。吸い込み口２ａは、室内空気１５ａを事前空気調整部２内へ吸い込む入り口である。また、吸い込み口２ａは、室内空気１５ａだけでなく、屋外からの新鮮外気を吸い込んでもよい。フィルタ２ｂは、吸い込み口２ａから吸い込まれた室内空気１５ａの塵埃を捕集する。熱交換器２ｃは、フィルタ２ｂで塵埃が捕集された室内空気１５ａを、予め設定された温度になるように熱を交換する。送風機２ｄは、室内空気１５ａを吸引して熱交換器２ｃで熱を交換し室内空気１５ａの温度を調節した調整空気１４を二重床９へ送風する。
【００２７】
また、図２に示すように、混合調整部４００は、第一通路４０２と、第二通路４０３と、第三通路４０４と、混合弁である混合ダンパ４０１と、温度制御部４０５から構成されている。第一通路４０２と第二通路４０３と第三通路４０４と混合ダンパ４０１は、室内８の二重床９上の床吹き出し部３００内に複数設けられている各床吹き出し口３０３の下の各々のケーシング内に設けられている。第一通路４０２と第二通路４０３と第三通路４０４は、円筒状の通気路であり、通気路内には通気する空気の温度を検知する温度検知部５が設けられている。更に、床吹き出し口３０３近傍にも、室内８の所定領域の温度を検知する温度検知部５が設けられている。温度制御部４０５は、制御部１３内に設けられ、温度検知部５で検知された温度を基に混合空気１６の温度を調節する。温度検知部５で検知された温度は、出力部１８であるディスプレイ等に表示することができる。尚、温度検知部５は温度を検知するいわゆる温度センサー等である。
【００２８】
混合調整部４００の構成について具体的に説明する。第一通路４０２は、調整空気１４の流れる二重床９内から混合ダンパ４０１を介して第三通路４０４まで繋がっており、二重床９内を流れる調整空気１４の一部を第三通路４０４まで導く通路である。第二通路４０３は、室内８から混合ダンパ４０１を介して第三通路４０４まで繋がっており、室内空気１５ａを取り入れ、第三通路４０４まで導く通路である。第三通路４０４は、混合ダンパ４０１から床吹き出し口３０３まで繋がっており、調整空気１４と室内空気１５ａとを
混合させた混合空気１６を床吹き出し口３０３まで導く通路である。混合ダンパ４０１は、第一通路４０２と第二通路４０３と第三通路４０４とが合流する位置に設けられており、第三通路４０４で混合される調整空気１４と室内空気１５ａとの各々の風量を調節する。
【００２９】
また、混合調整部４００は、第二通路４０３内には、室内空気１５ａを第二通路４０３内に取り入れる不図示の空気取入手段であるファン３０１を設けてもよい。ファン３０１を設けることにより、実施例１は、混合ダンパ４０１の開度に応じて室内空気１５ａを自吸することができる。また、混合空気１６や調整空気１４を床吹き出し口３０３から室内８へ吹き出すために、床吹き出し部３００は、ファン３０１を設けてもよい。ファン３０１は、例えば、軸流ファンを用いてもよい。
【００３０】
混合ダンパ４０１は、温度制御部４０５によって開度が調節される。混合空気１６は、混合ダンパ４０１の開度が調節され、温度の異なる調整空気１４と還気１５との混合量を変え、その結果、温度が調整される。これにより、本発明は、床吹き出し口３０３から供給される混合空気１６の温度を床吹き出し口３０３毎に個別に変更することができるため、室内８の各々の所定領域の温度を調整することができる。
【００３１】
温度制御部４０５は二重床９内の制御部１３に設けられ、各々の床吹き出し口３０３の下に設けられた複数の混合ダンパ４０１と通信線を介して接続されている。また、実施例１の個別空気調整装置１は、入力部６（図１を参照）が設けられている。図３は、実施例１の入力部６を示す平面図である。入力部６は図１に示すように、部屋全体の設定温度を受け付ける入力部６を設けてもよいし、所定領域毎に設けてもよい。入力部６は、室内８の所定領域中の指定した指定領域へ床吹き出し口３０３から供給される混合空気１６の設定温度を受け付ける。尚、指定領域とは、ユーザが指定した室内８の所定領域中の混合空気１６を供給する領域である。入力部６で受け付けられた温度情報に基づき温度制御部４０５によって各混合ダンパ４０１の開度を調節すれば、温度制御部４０５は、調整空気１４と室内空気１５ａとが第三通路４０４へ流れる風量の割合を変え、混合空気１６の温度を制御することができる。これにより、実施例１の個別空気調整装置１は、床吹き出し口３０３から供給される混合空気１６の温度を入力部６により個別に設定し、室内８の各々の所定領域の温度を個別に変えることができる。
【００３２】
また、入力部６で受け付けられた温度情報のうち、室内８の所定領域中からユーザが指定した指定領域以外の領域については、混合調整部４００による空気の混合が行われない。すなわち、図４に示すように、混合ダンパ４０１は第二通路４０３の終端を塞ぎ、床吹き出し口３０３は第一通路４０２からの調整空気１４のみを吹き出す。温度制御部４０５の詳しい処理は後述する。
【００３３】
次に、混合調整部４００は、調整空気１４と還気１５とを混合させる割合を調整し、混合空気１６の温度を調整する。ユーザが予め設定する所定領域へ供給する混合空気１６の温度と、調整空気１４と還気１５との温度と、調整空気１４と還気１５との風量の関係が予め設定され、規格化されている。調整空気１４と還気１５とを混合させる風量の割合は、所定領域へ供給する混合空気１６の温度と、調整空気１４の温度と、還気１５の温度により規格化された式により決定される。よって、個別空気調整装置１は、製品化し易い効果がある。混合させる調整空気１４と室内空気１５ａとの割合を、以下に示す（１）式によって決定する。
【００３４】
【数１】
2009156510.tif 000003
（式中、t1は調整空気１４の温度、t2は指定領域に供給する混合空気１６の設定温度、t3は還気１５の温度、Q1は調整空気１４の風量、Q2は還気１５の風量である）
【００３５】
もっとも、ユーザによる混合空気１６の温度設定は不可欠ではなく、一般的な室内８の設定温度、例えば冷房時２２度を混合空気１６の温度に予め設定し、この混合空気１８の温度と（１）式に基づいて、温度制御部４０５により混合ダンパ４０１の開度を制御してもよい。その場合には、混合空気１６の設定温度を受け付ける入力部６を省略することができる。
【００３６】
また、実施例１では、図５に示すように、更に電気ヒータ２０を設け、床から吹き出す混合空気１６の温度の微調整を行うことができる。これにより、各々のユーザの温度要求に応え、室内８の快適性を向上させることが可能である。
【００３７】
図６は、実施例１の個別空気調整装置１の機能ブロック図である。制御部１３は、ＣＰＵ、メモリ等を含むコンピュータと、コンピュータ上で実行されるプログラムによって実現することができる。制御部１３は、温度制御部４０５を有する。
【００３８】
制御部１３内の構成について説明する。制御部１３内の温度制御部４０５は、温度情報取得部４０５ａと、指定領域情報取得部４０５ｄと、混合空気割合判断部４０５ｂと、混合弁開度制御部４０５ｃとから構成されている。以下、制御部１３の構成について説明する。
【００３９】
温度情報取得部４０５ａは、温度検知部５で検知された温度を取得する。指定領域情報取得部４０５ｄは、入力部６で受け付けられた、指定領域に供給される混合空気１６の温度を取得する。混合空気割合判断部４０５ｂは、混合空気１６を形成する調整空気１４と室内空気１５ａの割合を判断する。混合弁開度制御部４０５ｃは、混合ダンパ４０１の開度を調節する。
【００４０】
図７は、実施例１の個別空気調整装置１の制御フロー図である。図６に示す制御フロー図を参照しながら、以下具体的に個別空気調整装置１について説明する。
【００４１】
ステップＳ０１では、温度情報取得部４０５ａが温度検知部５で検知された温度情報を取得する。例えば、温度検知部５で検知された温度情報は、室内空気１５ａが２９度、室内の予め設定された温度が２５度、調整空気１４が２４度、室内８の所定領域の温度が２９度という情報である。温度情報の取得が完了するとステップＳ０２へ進む。
【００４２】
ステップＳ０２では、指定情報取得部４０５ｄが指定領域の温度情報を取得する。指定情報取得部４０５ｄは、入力部６から情報を取得する。例えば、ユーザが室内８の温度が２９度という領域Ａに居る場合、領域Ａの温度を２６度に変更する。この場合、入力部６に受け付けられた指定領域に供給する混合空気１６の設定温度は２６度である。指定領域Ａのイメージ図は図１に示す。指定領域の温度情報の取得が完了するとステップＳ０３へ進む。
【００４３】
ステップＳ０３では、混合空気割合判断部４０５ｂが指定領域に供給する混合空気１６の割合を決定する。混合空気１６は、各々の温度が異なる調整空気１４と還気１５である
室内空気１５ａとを混合する。よって、温度検知部５で検知された調整空気１４と室内空気１５ａに基づいて、入力部６で受け付けられた指定領域に供給する混合空気１６の設定温度になるように、混合空気割合判断部４０５ｂは混合させる調整空気１４と室内空気１５ａとの割合を、上述した（１）式によって決定する。
【００４４】
例えば、温度検知部５で検知された調整空気１４の温度は２４度、室内空気１５ａは２９度であり、入力部６で受け付けられた混合空気１６の設定温度は２６度である。混合空気１６を２６度にする為に、混合空気割合判断部４０５ｂは、調整空気１４を４割と室内空気１５ａを６割混合させることを（１）式により決定する。指定領域での混合空気１６の割合が決定したら、ステップＳ０４へ進む。
【００４５】
ステップＳ０４では、混合空気１６が指定領域へ供給される。混合弁開度制御部４０５ｃが、ステップＳ０３で決定した混合空気割合に基づいて混合ダンパ４０１の開度を調節し、調整空気１４と室内空気１５ａとを混合させて混合空気１６を形成する。そして、混合空気１６は床吹き出し口３０３から指定領域へ供給される。例えば、混合調整部４００が、調整空気１４を４割と室内空気１５ａを６割とを混合させて２６度の混合空気１６を形成する場合、混合ダンパ４０１は室内空気１５ａが流れる第二通路４０３側に広げる方向に開く。開かれた混合ダンパ４０１により第三通路４０４へ４割の調整空気１４と６割の室内空気１５ａが流れ出し、２６度の混合空気１６が形成される。形成された２６度の混合空気１６は、床吹き出し口３０３から室内８の指定領域へ吹き出される。指定領域へ混合空気１６が供給されたら、ステップＳ０５へ進む。
【００４６】
ステップＳ０５では、調整空気１４が指定領域以外へ供給される。ステップＳ０２で取得された情報である室内８の指定領域以外の領域へ室内８が予め設定された温度になるように調整された調整空気１４は、床吹き出し口３０３から吹き出され、指定領域以外の領域を予め設定された温度にする。例えば、指定領域はＡである場合、指定領域Ａ以外の領域の温度は、予め設定された温度である２５度にする必要がある。室内空気１５ａが２９度であるため、２４度の調整空気１４を指定領域Ａ以外の床７にある床吹き出し部３００から吹き出す。
【００４７】
以上により、実施例１の個別空気調整装置１は、床吹き出し部３００から供給される空気の温度を個別に調整し、室内空調の快適性を向上させることが可能である。
【実施例２】
【００４８】
実施例１では、図４に示すように、床吹き出し部３００において、ファン３０１が床吹き出し口３０３の下に設けられ、混合ダンパ４０１が第一通路４０２と第二通路４０３との間に設けられている。これに対し、実施例２では、図８に示すように、ファン３０１が、第一通路４０２内と第二通路４０３内に設けられている。なお、実施例１と同様に、床吹き出し口３０３の下に不図示のファン３０１を更に設けてもよい。また、実施例２では、第一通路４０２と第二通路４０３の各々に逆止ダンパ５０１を設けられている。ファン３０１が回転すると、逆止ダンパ５０１が開き、ファン３０１が停止すると、ダンパ５０１が閉まる構造である。図８に示すように、第一通路４０２内に設けられたファン３０１は回転しているため、第一通路４０２内に設けられた逆止ダンパ５０１が開かれている。一方、第二通路４０３内に設けられたファン３０１は停止しているため、第二通路４０３内に設けられた逆止ダンパ５０１が閉まっている。実施例２の個別空気調整装置によれば、ファン３０１を各々の通路に設けることにより、各々の逆止ダンパ５０１の開度に応じて室内空気１５ａと調整空気１４を自吸することができる。
【００４９】
（変形例）
以上、本発明に係る個別空気調整装置の実施例について説明したが、本発明に係る個別
空気調整装置はこれらに限定されるものではない。例えば、実施例１では、図４に示すように、混合調整部４００内において、混合ダンパ４０１は第一通路４０２と第二通路４０３との間に一個設けられていたが、第一通路４０２と第二通路４０３の各々に計二個のダンパを設けてもよい。すなわち、変形例の個別空気調整装置では、ダンパが第一通路４０２と第二通路４０３とで兼用されず、独立している。各々の通路にダンパを設けることで、第一通路４０２と第二通路４０３が第三通路４０４へ合流する領域が大きくなり、各々の空気の流れが良くなる効果がある。
【００５０】
また、実施例１では、図４に示すように、床吹き出し部３００において、ファン３０１が床吹き出し口３０３の下に設けられ、混合ダンパ４０１が第一通路４０２と第二通路４０３との間に設けられていたが、混合ダンパ４０１の代わりにクロスフローファンと逆止ダンパを設けてもよい。逆止ダンパは、第二通路４０３の入口に設ければよい。クロスフローファンが回転すると、逆止ダンパが開き、クロスフローファンが停止すると、逆止ダンパが閉まる構造である。
【００５１】
また、実施例１の個別空気調整装置１の第三通路４０４にエジェクタを設けてもよい。これにより、ファン３０１を省略することができる。なお、混合空気１６の調整は、混合ダンパ４０１の開度調整により行ってもよく、また、第一通路４０２の取入口と、第二通路４０３の取入口の絞りを調整することにより温度が調整することができる。第一通路４０２の取入口の絞りや第二通路４０３の取入口の絞りの調整は、例えば、夫々の取入口にダンパを設け、ダンパの開度調整により行うことができる。
【００５２】
以上の説明は、冷房運転の場合での例である。暖房運転の場合は、調整空気１４よりも低い温度である還気１５を温度制御部４０５に取り入れ、調整空気１４と混合して床から混合空気１６を吹き出すことにより、冷房運転の場合と同様に、床吹き出し部３００から供給される空気の温度を個別に調整し、室内空調の快適性を向上させることが可能となる。
【図面の簡単な説明】
【００５３】
【図１】実施例１の個別空気調整装置が設けられた部屋及びその周辺を示す断面図である。
【図２】実施例１の個別空気調整装置において、混合空気が室内へ供給された状態の混合調整部と床吹き出し部の拡大図である。
【図３】実施例１の入力部を示す平面図である。
【図４】実施例１の個別空気調整装置において、調整空気が室内へ供給された状態の混合調整部と床吹き出し部の拡大図である。
【図５】実施例１の個別空気調整装置において、電気ヒータにより微調整された混合空気が室内へ供給された状態の混合調整部と床吹き出し部の拡大図である。
【図６】実施例１の個別空気調整装置の機能ブロック図である。
【図７】実施例１の個別空気調整装置の制御フロー図である。
【図８】実施例２の個別空気調整装置において、調整空気が室内へ供給された状態の混合調整部と床吹き出し部の拡大図である。
【符号の説明】
【００５４】
１・・・個別空気調整装置
２・・・事前空気調整部
３０１・・・ファン
３０３・・・床吹き出し口
４００・・・混合調整部
４０１・・・混合ダンパ
４０２・・・第一通路
４０３・・・第二通路
４０４・・・第三通路
４０５・・・温度制御部
５・・・温度検知部
６・・・入力部
９・・・二重床
１０・・・二重天井
１３・・・制御部
１４・・・調整空気
１５・・・還気
１５a・・・室内空気
１６・・・混合空気
【図１】
2009156510.tif 000004
【図２】
2009156510.tif 000005
【図３】
2009156510.tif 000006
【図４】
2009156510.tif 000007
【図５】
2009156510.tif 000008
【図６】
2009156510.tif 000009
【図７】
2009156510.tif 000010
【図８】
2009156510.tif 000011